(57)【要約】【課題】  底部に水路部が形成されたコンクリート構造物であっても水路を阻害することなく簡単に耐震補強用の可撓継手を取り付けることができるコンクリート構造物への可撓継手の取付構造およびこれに用いる可撓継手を提供すること。【解決手段】  コンクリート構造物１の水路部２およびその近傍に可撓継手３０を収納し得るはつり部２１を形成し、可撓継手３０には、水路部以外に対応して両端フランジ部３１間にコンクリート構造物１の空間内側１ａに突き出す内側膨出部３２を形成するとともに、水路部およびその近傍に対応して両端フランジ部間に内側膨出部を反転させてはつり部２１に収納する水路部用の反転膨出部３３を連続して形成し、可撓継手３０を水路部２では、水路部底より低く取り付けるようする。  これにより、はつる範囲を大幅に少なくし、しかも水路部２を横断する可撓継手３０によっても流下機能を阻害することなく、簡単に施工できるようになる。【選択図】  図１
2010229730.tif 000002
【特許請求の範囲】
【請求項１】
底部に凹状の水路部が形成されたコンクリート構造物の端部同士を対向させた目地部に跨るように、両端フランジ部を備えた可撓継手を取り付けるコンクリート構造物への可撓継手の取付構造であって、
前記コンクリート構造物の前記水路部およびその近傍に前記可撓継手を収納し得るはつり部を形成し、
前記可撓継手には、前記水路部以外に対応して前記両端フランジ部間にコンクリート構造物の空間内側に突き出す内側膨出部を形成するとともに、水路部およびその近傍に対応して前記両端フランジ部間に前記内側膨出部を反転させて前記はつり部に収納する水路部用の反転膨出部を連続して形成して構成し、
当該可撓継手を前記水路部では、水路部底より低く取り付けるよう構成したことを特徴とするコンクリート構造物への可撓継手の取付構造。
【請求項２】
前記可撓継手は、前記内側膨出部を２つの凸状板部を連続させて構成するとともに、前記反転膨出部を前記２つの凸状板部を反転させた１つの逆凸状板部で構成してなることを特徴とする請求項１記載のコンクリート構造物への可撓継手の取付構造。
【請求項３】
前記可撓継手の前記反転膨出部上には、押え板を当てて取り付けるようにしたことを特徴とする請求項１または２記載のコンクリート構造物への可撓継手の取付構造。
【請求項４】
前記押え板は、前記水路部の内側に装着される上部が開口したコ字状に形成して構成したことを特徴とする請求項１〜３のいずれかに記載のコンクリート構造物への可撓継手の取付構造。
【請求項５】
前記押え板は、前記可撓継手の両端フランジ部に当ててアンカーに固定する２枚の固定部材と兼用して構成してなることを特徴とする請求項１〜３のいずれかに記載のコンクリート構造物への可撓継手の取付構造。
【請求項６】
両端フランジ部を備えコンクリート構造物の端部同士を対向させた目地部に跨るように取り付けられる可撓継手であって、
前記両端フランジ部の幅方向中間部の一方側に突出して設けられる膨出部を、他方側に突出するよう反転可能に構成してなることを特徴とするコンクリート構造物用の可撓継手。
【発明の詳細な説明】
【技術分野】
【０００１】
この発明はコンクリート構造物ヘの可撓継手の取付構造およびこれに用いる可撓継手に関し、水道施設の水路、配水池、給水池等の既設の底部に水路部を備えたコンクリート構造物の目地部に耐震補強用の可撓継手を取り付ける取付構造および可撓継手で水路部の機能を阻害しないようにできるものである。
【背景技術】
【０００２】
耐震補強用の可撓継手を設置する必要があるコンクリート構造物の中には、水道施設の水路、配水池、給水池等があり、例えば図９に示すように、コンクリート構造物１，１の底部に水路部２となる凹状の溝が設けられているものがある。
【０００３】
このような水路部２を備えたコンクリート構造物１，１で目地部３を跨ぐように可撓継手を設置しようとすると、例えば図１０（ａ）示すように、可撓継手４を目地部３の水平部を覆う第1目地材５と垂直部を覆う第２目地材６とで構成し、水平部では、第1目地部５の凸状体５ａをコンクリート構造物１，１の空間内側に突き出すように配置するとともに、垂直部では、コンクリート構造物１，１の目地部３内に第２目地材６の凸状体６ａを収納するようにしている。
【０００４】
このような可撓継手４では、水平部に配置された第1目地材５の凸状部５ａが水路部２を横断することになって水路の機能を阻害することになる。
【０００５】
そこで、目地部３の水平部でも、図１０（ｂ）に示すように、垂直部と同様に、コンクリート構造物１，１の目地部３内に凸状部５ａを収納することが考えられる(特許文献１参照)。
【先行技術文献】
【特許文献】
【０００６】
【特許文献１】特開２００７−５６４４８号公報
【発明の概要】
【発明が解決しようとする課題】
【０００７】
ところが、このようなコンクリート構造物１，１の水路部２を可撓継手４が横断する場合、可撓継手４の高さ分だけ大きくはつり込み、水路部２の底高さよりも可撓継手４の水平部の配置高さが低くなるように施工する必要があり、コンクリート構造物１,１を新たに設置して可撓継手を取り付ける場合に比べ、特に、既設のコンクリート構造物１,１に対して可撓継手を取り付ける場合には、大規模なはつり工事が必要となるという問題がある。
【０００８】
また、底部に凹状の水路部が形成されたコンクリート構造物であっても水路を阻害することなく簡単に施工することができる可撓継手の開発が望まれている。
【０００９】
この発明は、かかる従来技術と要望に鑑みてなされたものであって、底部に水路部が形成されたコンクリート構造物であっても水路を阻害することなく簡単に耐震補強用の可撓継手を取り付けることができるコンクリート構造物への可撓継手の取付構造およびこれに用いる可撓継手を提供しようとするものである。
【課題を解決するための手段】
【００１０】
上記課題を解決するためこの発明の請求項１記載のコンクリート構造物への可撓継手の取付構造は、底部に凹状の水路部が形成されたコンクリート構造物の端部同士を対向させた目地部に跨るように、両端フランジ部を備えた可撓継手を取り付けるコンクリート構造物への可撓継手の取付構造であって、前記コンクリート構造物の前記水路部およびその近傍に前記可撓継手を収納し得るはつり部を形成し、前記可撓継手には、前記水路部以外に対応して前記両端フランジ部間にコンクリート構造物の空間内側に突き出す内側膨出部を形成するとともに、水路部およびその近傍に対応して前記両端フランジ部間に前記内側膨出部を反転させて前記はつり部に収納する水路部用の反転膨出部を連続して形成して構成し、当該可撓継手を前記水路部では、水路部底より低く取り付けるよう構成したことを特徴とするものである。
【００１１】
また、この発明の請求項２記載のコンクリート構造物への可撓継手の取付構造は、請求項１記載の構成に加え、前記可撓継手は、前記内側膨出部を２つの凸状板部を連続させて構成するとともに、前記反転膨出部を前記２つの凸状板部を反転させた１つの逆凸状板部で構成してなることを特徴とするものである。
【００１２】
さらに、この発明の請求項３記載のコンクリート構造物への可撓継手の取付構造は、請求項１または２記載の構成に加え、前記可撓継手の前記反転膨出部上には、押え板を当てて取り付けるようにしたことを特徴とするものである。
【００１３】
また、この発明の請求項４記載のコンクリート構造物への可撓継手の取付構造は、請求項１〜３のいずれかに記載の構成に加え、前記押え板は、前記水路部の内側に装着される上部が開口したコ字状に形成して構成したことを特徴とするものである。
【００１４】
さらに、この発明の請求項５記載のコンクリート構造物への可撓継手の取付構造は、請求項１〜３のいずれかに記載の構成に加え、前記押え板は、前記可撓継手の両端フランジ部に当ててアンカーに固定する２枚の固定部材と兼用して構成してなることを特徴とするものである。
【００１５】
また、この発明の請求項６記載のコンクリート構造物用の可撓継手は、両端フランジ部を備えコンクリート構造物の端部同士を対向させた目地部に跨るように取り付けられる可撓継手であって、前記両端フランジ部の幅方向中間部の一方側に突出して設けられる膨出部を、他方側に突出するよう反転可能に構成してなることを特徴とするものである。
【発明の効果】
【００１６】
この発明の請求項１記載のコンクリート構造物への可撓継手の取付構造によれば、底部に凹状の水路部が形成されたコンクリート構造物の端部同士を対向させた目地部に跨るように、両端フランジ部を備えた可撓継手を取り付けるコンクリート構造物への可撓継手の取付構造であって、前記コンクリート構造物の前記水路部およびその近傍に前記可撓継手を収納し得るはつり部を形成し、前記可撓継手には、前記水路部以外に対応して前記両端フランジ部間にコンクリート構造物の空間内側に突き出す内側膨出部を形成するとともに、水路部およびその近傍に対応して前記両端フランジ部間に前記内側膨出部を反転させて前記はつり部に収納する水路部用の反転膨出部を連続して形成して構成し、当該可撓継手を前記水路部では、水路部底より低く取り付けるよう構成したので、水路部とその近傍だけに可撓継手を収納できるはつり部を形成し、水路部には可撓継手の膨出部を反転させた反転膨出部を収納するとともに、他の部分はコンクリート構造物の空間内側に突き出す内側膨出部を配置して取り付けることで、はつる範囲を大幅に少なくすることができ、しかも水路部の底高さより低く可撓継手を取り付けることで流下機能を阻害することなく、簡単に施工することができる。
【００１７】
また、この発明の請求項２記載のコンクリート構造物への可撓継手の取付構造によれば、前記可撓継手は、前記内側膨出部を２つの凸状板部を連続させて構成するとともに、前記反転膨出部を前記２つの凸状板部を反転させた１つの逆凸状板部で構成したので、内側膨出部の２つの凸状板部の間を反転させて１つの逆凸状板部として反転膨出部とすることで、内側膨出部と反転膨出部を連続して形成することができ、可撓継手を水路部の底高さより低く簡単に取り付けることができる。
【００１８】
さらに、この発明の請求項３記載のコンクリート構造物への可撓継手の取付構造によれば、前記可撓継手の前記反転膨出部上には、押え板を当てて取り付けるようにしたので、押え板で反転膨出部を覆うことで、反転膨出部を保護することができるとともに、確実に水路を確保することができる。
【００１９】
また、この発明の請求項４記載のコンクリート構造物への可撓継手の取付構造によれば、前記押え板は、前記水路部の内側に装着される上部が開口したコ字状に形成して構成したので、上部が開口したコ字状の押え板とすることで、目地部の水路部を一層確実に連続させることができ、耐震補強と同時に水路を確保することができる。
【００２０】
さらに、この発明の請求項５記載のコンクリート構造物への可撓継手の取付構造によれば、前記押え板は、前記可撓継手の両端フランジ部に当ててアンカーに固定する２枚の固定部材と兼用して構成したので、両端フランジ部をアンカーに固定する固定部材を押え板と兼用することで、可撓継手の取り付けと同時に、反転膨出部の保護のための施工ができ、一層効率的に施工することができる。
【００２１】
また、この発明の請求項６記載のコンクリート構造物用の可撓継手によれば、両端フランジ部を備えコンクリート構造物の端部同士を対向させた目地部に跨るように取り付けられる可撓継手であって、前記両端フランジ部の幅方向中間部の一方側に突出して設けられる膨出部を、他方側に突出するよう反転可能に構成したので、一方側の膨出部を反転させて反転膨出部を形成できるようにすることで、現場での水路部の位置に合わせて簡単に施工することができる。
【図面の簡単な説明】
【００２２】
【図１】この発明のコンクリート構造物への可撓継手の取付構造の一実施の形態にかかる概略斜視図および水路部と他の部分を合体して示す横断面図である。
【図２】この発明のコンクリート構造物への可撓継手の取付構造の一実施の形態にかかるはつり部の概略斜視図である。
【図３】この発明のコンクリート構造物への可撓継手の取付構造の一実施の形態にかかる反転膨出部の取付状態の概略斜視図および概略断面図である。
【図４】この発明のコンクリート構造物への可撓継手の取付構造の一実施の形態にかかる反転膨出部への押え板の取付状態の概略斜視図および概略断面図である。
【図５】この発明のコンクリート構造物への可撓継手の取付構造の一実施の形態にかかる反転膨出部への補強布などの取付状態の概略斜視図および概略断面図である。
【図６】この発明のコンクリート構造物への可撓継手の取付構造の一実施の形態にかかる反転膨出部への補強布などの取付状態の横断面図である。
【図７】この発明のコンクリート構造物への可撓継手の取付構造の他の一実施の形態にかかる反転膨出部への固定部材と兼用した押え板の取付状態の横断面図である。
【図８】この発明のコンクリート構造物への可撓継手の取付構造の他の一実施の形態にかかるはつり部の概略斜視図である。
【図９】この発明のコンクリート構造物への可撓継手の取付構造が適用されるコンクリート構造物の概略斜視図および端面図である。
【図１０】それぞれ従来のコンクリート構造物への可撓継手の取付構造を説明する斜視図である。
【発明を実施するための形態】
【００２３】
以下、この発明の実施の形態について、図面に基づき詳細に説明する。  
このコンクリート構造物への可撓継手の取付構造２０は、水道施設の水路、配水池、給水池などの既設のコンクリート構造物１、１の底部に水路部２が形成されているもので、目地部３に取り付ける耐震補強用の可撓継手３０が水路部２を横断せざるを得ず、この場合でも可撓継手３０によって水路が阻害されることなく、可撓継手３０を取り付けることができるようにする構造であり、水路部２では、可撓継手３０の取付高さを水路部２の底高さより低く取り付ける。
【００２４】
このような耐震補強用の可撓継手３０としては、ゴムや合成ゴム、あるいは合成樹脂などの弾性部材で成形されたものが用いられ、例えば図１（ｂ）に示すように、板状の両端フランジ部３１の中間部に上方に突き出して内側膨出部３２が形成され、２つの凸状板部３２ａを幅方向に連続させるとともに、谷部分が両端フランジ部３１と同一高さとなるように構成され、２つの凸状板部３２ａを下方に押し込むように反転させることで、谷部分が反転凸状板部３３ａとなるとともに，２つの凸状板部３２ａがほぼ平坦となって反転膨出部３３が構成され、横断面形状が略逆Ω字状となる。
【００２５】
一方、このコンクリート構造物への可撓継手の取付構造２０（以下、単に取付構造２０と略記する。）では、目地部３を挟む両側のコンクリート構造物１、１の水路部２と目地部３に沿う方向の近傍をそれぞれはつり、水路部２より深いはつり部２１を形成する（図２参照）。
【００２６】
このはつり部２１は、可撓継手３０の両端フランジ部３１を取り付けるためのフランジ固定部２１ａと、両端フランジ部３１の間に形成される通常の内側膨出部３２を反転させた反転膨出部３３を収納するための膨出部収納部２１ｂとで構成される。このフランジ固定部２１ａは目地に沿う方向の両端部が傾斜面とされてコンクリート構造物１，１の空間内側１ａ，１ａに滑らかに連続するとともに、可撓継手３０を取りつけた状態で水路部２の底高さより可撓継手３０の取付高さが低くなるように深さとなる基準面Ａが定めてある。また、膨出部収納部２１ｂは可撓継手３０の反転膨出部３３を収納できる大きさであれば良く、例えば横断面形状をＶ字状とすることで、はつり量を最小限にできるようにしてある。
【００２７】
なお、コンクリート構造物１,１の底部に形成される水路部３がコーナー部分に近い場合には、図８に示すように、はつり部２１のフランジ固定部２１aの目地に沿う方向のコーナー部分と反対側の端部のみを傾斜面としてコンクリート構造物１,１の空間内側と滑らかに連続するようにすれば良い。
【００２８】
この取付構造２０では、水路部２およびその近傍以外のコンクリート構造物１，１の目地部２に対しては、目地部３を跨ぐように可撓継手３０の両端フランジ部３１，３１を配置し、内側膨出部３２がコンクリート構造物１，１の空間内側１ａ，１ａに突き出すようにして金属板などの固定部材２２を当てアンカーボルト・ナット２３を介してこれまでと同様に固定する。そして、水路部２およびその近傍のはつり部２１部分では、可撓継手３０の内側膨出部３２を下方に押し込むようにして反転させて反転膨出部３３を形成し、膨出部収納部２１ｂ内に収納するようにしておく(図３参照)。
【００２９】
この後、水路部２をコンクリート構造物１，１間で連続させるため、上部が開口したコ字状の押え板２４を用意して反転膨出部３３を覆うようにし、反転膨出部３３の内部への水などの流体の流入を防止できるようにする(図３、図４参照)。
【００３０】
さらに、この取付構造２０では、両端フランジ部３１から押え板２４を覆うように２枚の補強布２５を被せた後、合成樹脂板２６を載せ、両端フランジ部３１を固定部材２２をアンカーボルト・ナット２３で固定することで、可撓継手３０の取り付けが完了する(図４〜図６参照)。
【００３１】
なお、押え板２４を、可撓継手３０の両端フランジ部３１をアンカーボルト・ナット２３で固定する固定部材２２と兼用するようにし、図７に示すように、幅を広くして反転膨出部３３まで突き出すようにすることもでき、部材を削減することができるとともに、取り付けの際の工数を低減することもできる。
【００３２】
このような取付構造２０によれば、コンクリート構造物１,１の水路部２とその近傍をはつり、はつり部２１を形成するだけで可撓継手３０の取付高さを水路部２の外高さより低く取り付けることができ、はつる範囲を水路部２とその近傍に大幅に限定することができ、工期を短縮して施工することができる。
【００３３】
また、はつり部２１に可撓継手３０の反転膨出部３３を収納することで、可撓継手３０が水路部２を横断しても水流が阻害されることもなく、水路部２の機能をそのまま確保することができるとともに、耐震補強を施すことができる。
【００３４】
さらに、可撓継手３０の内側膨出部３２を２つの凸状板部３２ａとし、これを逆側に反転させて１つの凸状板部３３ａとして反転膨出部３３とすることができ、簡単に反転膨出部３３を内側膨出部３２と連続した状態で形成することができ、水路部２への位置合せなどの施工が容易となる。
【００３５】
また、可撓継手３０に水路部２に対応して予め反転膨出部３３を成形しておくことで、反転する工程も必要なく一層容易かつ短時間に施工することができる。
【符号の説明】
【００３６】
１          コンクリート構造物
１ａ        空面内側
２          水路部
５          目地部
２０        コンクリート構造物への可撓継手の取付構造
２１        はつり部
２１ａ      フランジ固定部
２１ｂ      膨出部収納部
２２        固定部材
２３        アンカーボルト・ナット
２４        押え板
２５        補強布
２６        合成樹脂板
３０        可撓継手
３１        両端フランジ部
３２        内側膨出部
３２ａ      凸状板部
３３        反転膨出部
３３ａ      凸状板部
Ａ          基準面
【図１】
2010229730.tif 000003
【図２】
2010229730.tif 000004
【図３】
2010229730.tif 000005
【図４】
2010229730.tif 000006
【図５】
2010229730.tif 000007
【図６】
2010229730.tif 000008
【図７】
2010229730.tif 000009
【図８】
2010229730.tif 000010
【図９】
2010229730.tif 000011
【図１０】
2010229730.tif 000012